(57)【要約】【課題】乳幼児を泣き止ませる音楽を聞かせることに特化したプロダクツを提供する。【解決手段】泣き止み音源をダウンロードしたスマートフォンと通信して泣き止み音を流すスピーカ１２を子守帯Ｋの肩ベルト２ａに装着する。肩ベルト２ａにはスピーカ取付部３が設けられ、フラップ５を開放して電磁シールドウレタン７の開口部にスピーカ１２を収めてフラップ５を閉じて面ファスナ６を閉じ合わせることによりフラップ５を肩ベルトの表生地２１側に閉じた状態で保持する。スピーカ１２は電磁シールド生地９と電磁シールドメッシュ８とで挟まれた状態でスピーカ取付部３内に収納されるため、スピーカ１２からの電磁波による乳幼児への悪影響を低減できる。【選択図】図１
2019072376.tif 000002
【特許請求の範囲】
【請求項１】
着用者が乳幼児を抱えた状態で保持する子守帯であって、
音を出力する音出力装置を、保持された乳幼児の頭部の近傍位置において前記音出力装置の出力面を前記着用者側に向けて取り付けるための取付部を備える、子守帯。
【請求項２】
前記乳幼児を抱えた状態で保持する本体部と、
前記本体部から延びて前記着用者の肩に掛けられる肩ベルトとを備え、
前記取付部は、前記肩ベルトのうちの前記本体部から延びて前記着用者の肩に到達するまでの位置に設けられている、請求項１に記載の子守帯。
【請求項３】
前記取付部は、前記音出力装置を、当該子守帯の表面と裏面との間に埋め込ませて取り付けるための埋め込み部として構成されている、請求項１または請求項２に記載の子守帯。
【請求項４】
前記取付部は、前記音出力装置の出力面と対面し、かつ、当該子守帯の裏面に設けられた孔を塞ぐように配置されるメッシュ状の電磁波シールド部材を有する、請求項３に記載の子守帯。
【請求項５】
請求項１〜請求項５のいずれかに記載の子守帯が備える取付部において、音を出力する出力面を前記着用者側に向けて取り付け可能である、音出力装置。
【発明の詳細な説明】
【技術分野】
【０００１】
本発明は、着用者が乳幼児を抱えた状態で保持する子守帯およびその子守帯に取付けられる音出力装置に関する。
【背景技術】
【０００２】
近年、核家族化や地域社会のサポート機能の低下から母親の育児負担が増加しており、育児ストレスからノイローゼや虐待が社会問題化している。新生児の場合、生後１〜２ヶ月に泣きのピークを迎え、何をやっても泣き止まない時期がある。この時期、新生児をあやしている最中に泣き止まないイライラから新生児の頭を激しく前後に揺さぶってしまう行動を取る親もいる。その結果、新生児が乳幼児揺さぶられ症候群（ＳＢＳ）を引き起こし、脳に重大な損傷あるいは命にかかわる事態が生じる虞がある。
【０００３】
このような事態を受け、厚生労働省は、平成２５年から、乳幼児揺さぶられ症候群（ＳＢＳ）に対して啓発ＤＶＤやガイドブックによる注意喚起を行っている。以上のような社会問題を抱えている現代の日本では、母親の育児ストレスを軽減し多くの子供たちが健康に育つサポートプロダクツの開発が急務である。
【０００４】
このような社会的ニーズに応えるものとして、乳幼児が聞くことにより泣き止む効果音等の音楽をアプリダウンロードサイトからスマートフォンにダウンロードして、乳幼児に聞かせるものがあった（例えば、非特許文献１参照）。
【先行技術文献】
【非特許文献】
【０００５】
【非特許文献１】"乳児、幼児の泣き止む音楽を無料でダウンロードする方法。効果は日産が検証済！"、更新日2016年04月07日、［online］、［平成29年10月5日検索］、インターネット<http://new5.info/668.html>
【発明の概要】
【発明が解決しようとする課題】
【０００６】
このようにインターネットを介して音楽をスマートフォンにダウンロードする方式は、ユーザにとって多種多様な音源を手軽に入手できる利点がある。しかし、スマートフォン等のモバイル端末にダウンロードされた音楽をそのモバイル端末から流して乳幼児に聞かせる場合、種々の問題が生じる。
【０００７】
先ず、モバイル端末から発生する電磁波が乳幼児に与える悪影響の問題である。乳幼児に音楽（泣き止み効果音）を聞かせるには極力乳幼児の近くにモバイル端末を設置する必要があるが、乳幼児にモバイル端末を近づければ近づけるほどそのモバイル端末からの電磁波を乳幼児が浴びて悪影響を受ける。これは、スマートフォン等のモバイル端末は乳幼児用には設計されていないのが一般的であり、乳幼児を考慮しての最適設計がなされていないのが原因である。また、世界保健機関（ＷＨＯ）は、電子レンジなど電化製品や高圧送電線から発せられる超低周波電磁波による人体への影響について、「小児白血病発症との関連が否定できない」として、各国に対策法の整備など予防的な措置を取ることを求める勧告「環境保健基準」をまとめているところでもある。
【０００８】
次に、赤ちゃんの泣き声は自宅よりも外出中のときがより深刻な状態となる。自宅では種々のおもちゃ等によりあやすことができる。しかし、外出中では、あやすおもちゃが限られ、しかも周囲の人に迷惑をかけてしまう。例えば、母親が子守帯を使用して乳幼児を抱っこして外出した場合、買い物籠やバッグ等を手に持っている場合が多々ある。そもそも子守帯は母親が手を使わなくても乳幼児を楽に抱っこできるように作られたものであるため、母親は買い物で外出する際にはよく子守帯を用いて乳幼児を抱っこする。よって、外出中の母親にとって、モバイル端末を手に持って乳幼児の耳元に近づけた状態で音楽を聞かせ続ける行為は負担となる場合が多い。
【０００９】
そこで、子守帯の肩ベルト等にモバイル端末を括り付けて乳幼児に音楽を聞かせる方法が考えられるが、万一括り付けがほどけてモバイル端末が脱落して損傷した場合には、ユーザにとって大きな損失となる。しかも、モバイル端末は汎用製品であるため泣き止み効果音（泣き止み音楽）を乳幼児に聞かせ終わった後はモバイル端末を他の用途に用いるべく子守帯から取り外さなくてはならず、いちいち着脱する手間がかかるという欠点がある。これも、スマートフォン等のモバイル端末が、泣き止み効果音（泣き止み音楽）を乳幼児に聞かせることに特化して最適設計されたものではないことが原因である。
【００１０】
以上要するに、スマートフォン等のモバイル端末は汎用性のある端末であり、乳幼児を泣き止ませる音楽（泣き止み効果音）を聞かせることに特化したものでないことが原因で、上記種々の欠点が生じる。
【００１１】
本発明は、かかる実情に鑑み考え出されたものであり、乳幼児を泣き止ませる音楽（泣き止み効果音）を聞かせることに特化したプロダクツを提供することを目的とする。
【課題を解決するための手段】
【００１２】
本発明のある局面に従う子守帯は、着用者が乳幼児を抱えた状態で保持する子守帯であって、音を出力する音出力装置を、保持された乳幼児の頭部の近傍位置において前記音出力装置の出力面を前記着用者側に向けて取り付けるための取付部を備える。
【００１３】
このような構成によれば、泣き止ませるために要する負担を軽減できる。また、音出力装置の出力面を着用者側に向けることにより、音出力装置から出力される音を着用者の胸等で反射させて乳幼児に聞かせることができる。このため、音を分散させて乳幼児に聞かせることができ、乳幼児の泣き止む効果をより一層高めることができる。
【００１４】
好ましくは、前記乳幼児を抱えた状態で保持する本体部と、前記本体部から延びて前記着用者の肩に掛けられる肩ベルトとを備え、前記取付部は、前記肩ベルトのうちの前記本体部から延びて前記着用者の肩に到達するまでの位置に設けられている。
【００１５】
上記の構成によれば、取付部が着用者との間において空間を生じさせる位置に設けられているため、音出力装置の出力面が着用者と接触して塞がれてしまうといった不都合の発生を防止できる。
【００１６】
好ましくは、前記取付部は、前記音出力装置を、当該子守帯の表面と裏面との間に埋め込ませて取り付けるための埋め込み部として構成されている。
【００１７】
上記の構成によれば、音出力装置を埋め込み部に埋め込むことにより取り付けることができるため、意図せずして音出力装置が外れてしまうことを防止できる。また、別個に取り付けるための部材を設ける必要がなく、利便性を向上させることができる。
【００１８】
好ましくは、前記取付部は、前記音出力装置の出力面と対面し、かつ、当該子守帯の裏面に設けられた孔を塞ぐように配置されるメッシュ状の電磁波シールド部材を有する
【００１９】
上記の構成によれば、音出力装置から出力される音が遮られてしまうことを防止しつつ、電磁波による乳幼児への悪影響を低減できる。
【００２０】
好ましくは、前記埋め込み部には、保持された乳幼児の頭部が位置する側と異なる側から前記音出力装置を埋め込ませるための開口が設けられている。
【００２１】
上記の構成によれば、抱っこされている乳幼児の手が取付部に取り付けられた音出力装置まで届きにくくすることができる。
【００２２】
好ましくは、前記取付部は、前記音出力装置を保持するホルダ部材を、当該子守帯の裏面に着脱可能に取り付けるためのホルダ取付部として構成されている。
【００２３】
上記の構成によれば、音出力装置を保持するホルダ部材の着脱を容易にすることができる。
【００２４】
本発明の他の局面に従う音出力装置は、子守帯が備える取付部において、音を出力する出力面を前記着用者側に向けて取り付け可能である。
【００２５】
上記の構成によれば、音出力装置の出力面を着用者側に向けることにより、音出力装置から出力される音を着用者の胸等で反射させて乳幼児に聞かせることができる。このため、音が分散させて乳幼児に聞かせることができ、乳幼児の泣き止む効果をより一層高めることができる。
【図面の簡単な説明】
【００２６】
【図１】第１実施の形態を示し、（Ａ）はスピーカ取付部を備えた子守帯の斜視図とその要部拡大図であり、（Ｂ）はスピーカ取付部のフラップを開放した状態を示す図であり、（Ｃ）はスピーカ取付部の分解斜視図である。
【図２】第１実施の形態を示し、（Ａ）はスピーカ取付部を備えた子守帯の使用状態説明図であり、（Ｂ）は子守帯の使用状態での音の伝わり方を模式的に示した説明図である。
【図３】第１実施の形態を示し、乳幼児を泣き止ませる音楽アプリをダウンロードしたユーザとのＣＲＭ(Customer Relationship Management)を構築する説明図である。
【図４】第２実施の形態でのスピーカ取付部を示し、（Ａ）はスピーカ取付部へのスピーカの挿入取付け手法を示す説明図であり、（Ｂ）はスピーカ取付部の分解斜視図であり、（Ｃ）は肩ベルトの裏面側から見たスピーカ取付部を示す図である。
【図５】第３実施の形態でのスピーカ取付部を示し、（Ａ）はスピーカ取付部へのスピーカの挿入取付け方法およびそのスピーカ取付部を肩ベルトに装着する方法を示す説明図であり、（Ｂ）は分解斜視図である。
【図６】第４実施の形態でのスピーカ取付部を示し、（Ａ）はスピーカ取付部へのスピーカの挿入取付け方法およびそのスピーカ取付部を肩ベルトに装着する方法を示す説明図であり、（Ｂ）は樹脂クリップの斜視図であり、（Ｃ）は肩ベルトに設けられているスピーカ取付部の断面図である。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
（第１実施の形態）
図１（Ａ）を参照し、母親等の着用者が乳幼児を抱えた状態で保持する子守帯Ｋにスピーカ取付部３が備えられている。子守帯Ｋは、乳幼児を保持して運ぶためのキャリヤ本体部１と、その上端部にそれぞれの一端が接続（連結）された左右一対の肩ベルト２ａ、２ｂとを備えている。肩ベルト２ａ、２ｂの他端は、キャリヤ本体部１の上端部以外の箇所（たとえば下端部）に接続されている。着用者は、肩ベルト２ａ、２ｂを両肩に掛けた状態でキャリヤ本体部１と着用者の胴部分との間に乳幼児を保持して抱っこする。
【００２９】
一方の肩ベルト２ａには、スピーカ取付部３が設けられている。他方の肩ベルト２ｂには、スピーカ取付部３は設けられていない例について説明するが、スピーカ取付部３が設けられているものであってもよい。肩ベルト２ａは、その表面を構成する表生地２１と、その裏面を構成する裏生地２０とを有しており、表生地２１の一部が切り欠かれた切り欠き部分２１ａに、スピーカ取付部３が設けられている。表生地２１の切り欠き部分２１ａには、図１（Ｂ）に示すように、開閉自在なフラップ５が設けられている。また、裏生地２０のうち切り欠き部分２１ａに対応する部分には、例えば円形の貫通孔２７が形成されている。
【００３０】
フラップ５の上端部は、裏生地２０または表生地２１に縫い付けられており、フラップ５は、下方側から捲り上げられるように設けられている。フラップ５の上端部を除く縁部と裏生地２０（または表生地２１の切り欠き部分２１ａの周縁部）との対向面には、着脱可能な面ファスナ６が設けられていることが望ましい。これら双方に形成されている面ファスナ６を閉じ合わせることにより、フラップ５と裏生地２０との間に収納空間が形成される。この収納空間は、音出力装置の一例であるスピーカ１２が収容される。つまり、本実施の形態において、スピーカ取付部３は、子守帯Ｋのうちの肩ベルト２ａの表面と裏面との間に埋め込ませて取り付けるための埋め込み部として構成されている。
【００３１】
図１（Ｃ）に示すように、裏生地２０とフラップ５との間（収納空間）に、メッシュ状の電磁シールド部材（以下「電磁シールドメッシュ」という）８、および、スピーカ保持部７が配置される。また、フラップ５は、表側に位置するカバー材１０と裏側に位置する布状の電磁シールド材（以下「電磁シールド生地」という）９とで構成されている。このように、スピーカ取付部３は、複数層で構成されている。
【００３２】
電磁シールドメッシュ８は、肩ベルト２ａの裏生地２０の貫通孔２７を塞ぐように設けられている。電磁シールドメッシュ８およびスピーカ保持部７は、肩ベルト２ａの裏生地２０に固定されている。電磁シールドメッシュ８は、スピーカ保持部７と肩ベルト２ａの裏生地２０との間に挟み込まれている。
【００３３】
スピーカ保持部７は、弾性を有し、厚み方向に貫通孔７ａを有する筒部材であり、例えばウレタンにより構成されている。このスピーカ保持部７もまた、電磁シールド機能を有することが望ましい。本実施の形態では、スピーカ保持部７を以下、電磁シールドウレタン７という。電磁シールドウレタン７の貫通孔７ａにスピーカ１２が嵌め込まれる。なお、スピーカ１２は、後述するように、音を出力する表面（以下「出力面」という）１２ａと、出力面１２ａの反対側の面である裏面１２ｂとを有する薄型の音出力装置である。スピーカ１２は、平面視において略円形であるが、その形状は問わない。
【００３４】
電磁シールドウレタン７の貫通孔７ａにスピーカ１２を嵌め込んだ状態でフラップ５を閉じることにより、スピーカ取付部３内にスピーカ１２を装着することができる。
【００３５】
スピーカ１２は、振動することにより音を発生するフィルム状の振動板２６を備えたフィルムスピーカである。振動板２６は、二軸延伸ポリエチレンナフタレート（ＰＥＮ）フィルムで構成されている。ＰＥＮフィルムは、ＰＥＴフィルムを上回る特製を持ったバランスのとれた高機能フィルムであり、薄型スピーカに適している。スピーカ１２は、振動板２６を振動させて出力面１２ａ側から音を発する。振動板２６の周囲は、シリコンフレーム２５で保持されている。スピーカ１２の裏面１２ｂには、操作部としてのスイッチ１３が設けられている。スイッチ１３を押圧することにより、スピーカ１２がＯＮ状態となる。
【００３６】
スピーカ１２は、振動板２６を取り囲む囲み部と、囲み部から外側に突出する突出部とを有しており、この突出部にスイッチ１３が設けられている。この場合、電磁シールドウレタン７には、突出部の表面（出力面１２ａと同じ方向を向く面）に対面して配置される対面部７ｂが設けられる。これにより、スピーカ１２を所定方向に配置可能となるとともに、スイッチ１３に掛かる押圧力を対面部７ｂにおいて吸収することができる。
【００３７】
フラップ５には、図１（Ａ）に示すようにスイッチマーク４が付されている。スイッチマーク４は、フラップ５を閉じた状態において、スピーカ１２のスイッチ１３に対応する箇所に形成されている。このため、着用者がフラップ５の上からスイッチマーク４を押圧することにより、スピーカ１２のスイッチ１３が押圧操作されてスピーカ１２がＯＮ状態となる。また、スピーカ１２がＯＮ状態のときにスイッチマーク４を再度押圧することによりスピーカ１２がＯＦＦとなる。図３を参照して後述するが、スピーカ１２は、スマートフォン１６と例えばBluetooth（登録商標）で通信するための通信モジュールが搭載されているワイヤレススピーカである。この場合、スピーカ１２およびスマートフォン１６のバッテリーの消費電力を軽減するために、例えば、Bluetooth Low Energyが用いられる。
【００３８】
図１（Ｃ）に基づいて説明したように、スピーカ取付部３に取付け保持されたスピーカ１２は、電磁シールドメッシュ８と電磁シールド生地９とに挟まれた状態となる。そのため、スピーカ１２から発せられる電磁波を良好にシールドすることができ、電磁波が乳幼児に与える悪影響を低減することができる。また、スピーカ１２の出力面１２ａに対向させて電磁シールドメッシュ８を配置している。電磁シールドメッシュ８はメッシュ状となっているために、音がメッシュの隙間および裏生地２０の貫通孔２７を通過して、肩ベルト２ａの裏面側から着用者側に向かって良好に発せられる。
【００３９】
次に、スピーカ取付部３を備えた子守帯Ｋの使用状態を図２（Ａ）（Ｂ）に基づいて説明する。子守帯Ｋの肩ベルト２ａには、表側にフラップ５を有するスピーカ取付部３が設けられている。このために、乳幼児の手がスピーカ取付部３のフラップ５側に届きにくく、スピーカ１２が埋め込まれたスピーカ取付部３の近辺を乳幼児が触ってスイッチ１３が不測にＯＮ操作されたり、フラップ５が捲り上げられる等の不都合を極力防止できるとともに、着用者がスイッチ１３を操作しやすくすることができる。
【００４０】
スピーカ取付部３は、肩ベルト２ａのうちのキャリヤ本体部１から延びて（標準体型の）着用者の肩に到達するまでの位置に設けられている。具体的には、スピーカ取付部３は、肩ベルト２ａのうち、キャリヤ本体部１との境界部（連結部）から使用状態において上端付近に位置する部分との間に設けられ、望ましくは、キャリヤ本体部１との境界部に近接する位置に設けられる。境界部に近接する位置とは、境界部とスピーカ取付部３との間隔が１０ｃｍ以下であり、５ｃｍ以下であることが望ましい。
【００４１】
なお、スピーカ取付部３は、キャリヤ本体部１と肩ベルト２ａとの境界部に近接する位置に設けられているものであれば、キャリヤ本体部１に設けられているものであってもよく、あるいは、キャリヤ本体部１と肩ベルト２ａとに亘って設けられているものであってもよい。
【００４２】
スピーカ取付部３が設けられた位置は、図２（Ｂ）に示すように着用者と子守帯Ｋとの間に空間を生じさせる位置でもある。このため、スピーカ１２の出力面１２ａが着用者あるいは乳幼児と接触して塞がれてしまうといった不都合の発生を防止できる。スピーカ取付部３は、（標準体型の）着用者が着用した場合に、子守帯Ｋとの間に空間を生じさせる位置に設けられているものであればよい。
【００４３】
また、スピーカ取付部３にスピーカ１２を保持した際には、図２（Ｂ）に示すように、スピーカ１２から発せられる音（全部あるいは一部）が着用者の胸方向に向けて出力される。このため、乳幼児に対して、着用者の胸などで反射して複数方向に分散された音を聞かせることができる。その結果、乳幼児の泣き止む効果をより一層高めることができる。
【００４４】
次に、乳幼児を泣き止ませる音楽アプリをダウンロードしたユーザとベビー用品販売店１７との間でＣＲＭ（Customer Relationship Management）を構築する仕組みを図３に基づいて説明する。ベビー用品販売店等の業者が運営するサーバ１４には、乳幼児の泣き止み効果がある音楽（泣き止み効果音）を発生するための泣き止みアプリが登録されている。泣き止み効果音は、乳幼児の定位反射を利用したものである。定位反射とは、別名「おや何だ反射」とよばれる生体反応の１つであり、生体が新奇刺激を受けると、そちらの方に防衛反応として注意を向ける現象のことである。
【００４５】
ユーザは、ベビー用品販売店１７においてスピーカ１２を購入（スピーカ１２単体を購入した場合、およびスピーカ１２と子守帯Ｋとをセット購入した場合を含む）する。次に、ユーザは、スマートフォン１６を操作してスピーカ１２のパッケージあるいは取扱説明書に貼付されている二次元バーコードなどに基づきサーバ１４へアクセスして、所定のアカウント情報を入力して登録することにより泣き止みアプリ１５をスマートフォン１６にダウンロードすることが可能となる。スマートフォン１６とスピーカ１２とは、Bluetoothにより互いに通信可能に構成されている。泣き止みアプリ１５をダウンロードしたスマートフォン１６と子守帯Ｋに取付けられたスピーカ１２とは、Bluetoothによって通信することにより、泣き止みアプリ１５に基づいた泣き止み効果音（泣き止み音楽）をスピーカ１２から出力することができる。
【００４６】
アカウント登録では、例えば、ＩＤとパスワードの他に、ユーザの生年月日、性別、住所、Ｅメールアドレス、乳幼児の生年月日、性別等がサーバ１４に登録（格納）される。業者は、アカウント登録情報に基づいて、新製品の入荷情報やクーポンあるいはイベント等の各種広告メッセージを各ユーザにメール送信することが可能となる。さらに、乳幼児の成長に合った情報提供などを長期的に送信することも可能となる。また、メール送信に代えてまたはそれに加えて、スマートフォン１６に新規メッセージの配信がある旨のプッシュ配信を行ってポップアップ通知を行い、それを見たユーザがそのポップアップ通知をタップすることによりウェブサイトにアクセスして新規メッセージを閲覧できるように制御してもよい。
【００４７】
業者は、ＣＲＭのための顧客データベースをサーバ１４に構築する。ＣＲＭとは、特定の顧客との関係を継続的に築き上げて、その結果として売上げや利益、さらには企業価値を向上させる経営手法である。ＣＲＭを実施する際には次のような流れで行う。
【００４８】
ａ  顧客情報を個客データベースに集め、セグメンテーションの切り口や顧客ニーズの把握・特定を行う。
ｂ  自社にとって重要な顧客を選別し、ランク付けする。
ｃ  ターゲットとした顧客のニーズに対応する製品やサービスを重点的に提供し、顧客を獲得する。
ｄ  その顧客を維持するための取組みを行い、それにより増収をはかる。
【００４９】
業者は、以上のような手順でＣＲＭを実施し、顧客生涯価値（Lifetime Value:ＬＴＶ）、顧客の選別などの考え方に基づき、ターゲットごとにメリハリをつけたマーケティングを行うことで、顧客の満足度を高め、重要顧客の獲得・維持を図る。
【００５０】
さらに、業者は、サーバ１４により育児コミュニティサイトを開設してユーザに提供してもよい。例えば、ユーザがスマートフォン１６によりその育児コミュニティサイトにアクセスすることにより、多数のユーザからの育児に関する悩みやノウハウや各種情報の投稿および閲覧ができるようにする。なお、サーバ１４は、ベビー用品販売店１７自身の自社サーバであってもよいが、クラウドサーバを利用してもよい。
【００５１】
（第２実施の形態）
第２実施の形態を図４に基づいて説明する。第１実施形態では、肩ベルト２ａの表生地２１の切り欠き部分２１ａを塞ぐフラップ５と肩ベルト２ａの裏生地２０との間にスピーカを（出し入れ可能に）埋め込む構成としたが、本実施の形態では、表生地２１と裏生地２０との間にスピーカを（出し入れ可能に）埋め込む構成である。つまり、本実施の形態では、表生地２１と裏生地２０との間に、スピーカの収納空間が形成されている。
【００５２】
第２実施の形態では、スピーカ取付部３として、肩ベルト２ａの側端部に設けられた開口部２２からスピーカ１２を内部に挿入して保持する例を説明する。なお、第２実施の形態においてもスピーカ取付部３は、肩ベルト２ａのうちのキャリヤ本体部１から延びて着用者の肩に到達するまでの位置において、スピーカ１２Ａの出力面１２ａが着用者側へ向くように取り付け可能に構成されている。スピーカ１２Ａもまた、出力面１２ａの反対側の裏面１２ｂにスイッチ１３を有しているが、このスイッチ１３は、裏面１２ｂの中央部分に設けられている。
【００５３】
肩ベルト２ａは、側端部において裏生地２０と表生地２１とが縫合されている。しかし、側端部の一部分は縫合されておらず、縫合されていない部分により開口部２５が形成されている。開口部２５は、肩ベルト２ａにおける乳幼児とは反対側の側端部（外側）に形成されている。開口部２５は、例えば線状のファスナー１８により閉鎖可能となっている。開閉つまみ１９を肩ベルト２ａの側端部に沿ってスライドさせることにより、ファスナー１８が開閉するように構成している。ファスナー１８を開いた状態とすることで、スピーカ１２Ａを開口部２５から挿入できる。その際、スピーカ１２Ａの出力面１２ａを着用者側に向けて挿入する。
【００５４】
また、スイッチマーク４は、スピーカ１２Ａを開口部２５から挿入してファスナー１８を閉じた状態において、スイッチ１３に対応する箇所に形成されている。着用者は、スイッチマーク４を押圧することにより収納されているスピーカ１２Ａのスイッチ１３を押圧してスピーカ１２ＡをＯＮにすることができる。
【００５５】
第２実施の形態におけるスピーカ取付部３は、図４（Ｂ）に示すような層構造となっている。スピーカ取付部３は、裏生地２０の貫通孔２７を塞ぐように裏生地２０に接着された電磁シールドメッシュ８と、表生地２１の裏面に接着された電磁シールド生地９とを含む。これにより、電磁シールドメッシュ８と電磁シールド生地９との間に、開口部２５に連通する収納空間が形成される。
【００５６】
この場合、ファスナー１８を開いた状態でスピーカ１２Ａを収納空間に挿入することにより、スピーカ１２Ａが電磁シールドメッシュ８と電磁シールド生地９とで挟まれた状態に保持される。そのため、スピーカ１２Ａから発せられる電磁波をシールドして乳幼児への悪影響を低減することができる。
【００５７】
図４（Ｃ）は、第２実施の形態における肩ベルト２ａを裏側から見た図である。電磁シールドメッシュ８は、肩ベルト２ａの裏生地２０に形成された貫通孔２７から露出している。スピーカ１２Ａから発せられた音は、電磁シールドメッシュ８および貫通孔２７を通過し、着用者の胸で反射して乳幼児の耳に届く。
【００５８】
第２実施の形態では、保持された乳幼児の頭部が位置する側と異なる側からスピーカ１２Ａを埋め込ませるための開口部２５（およびファスナー１８）が設けられているため、乳幼児を子守帯Ｋで保持している状態でもスピーカ１２Ａを容易に埋め込んでセット可能となる利点がある。また、乳幼児の手が開口部２５側に届き難いため、ファスナー１８が開けられてしまうこと等を防止できる。また、スイッチ１３にも乳幼児の手が届き難いため、乳幼児によりスイッチ１３が不測にＯＮ操作されてしまうことを防止できる。
【００５９】
なお、本実施の形態のいては、スピーカ１２Ａを表生地２１と裏生地２０との間にしっかりと保持できるため、スピーカ１２Ａを保持する保持部材が設けられていないが、第１実施の形態と同様に、保持部材（電磁シールドウレタン７）を設けてもよい。
【００６０】
（第３実施の形態）
次に第３実施の形態を図５に基づいて説明する。第１および第２実施の形態においては、スピーカ取付部３は、スピーカを、肩ベルト２ａ（子守帯Ｋ）の表面と裏面との間に埋め込ませて取り付けるための埋め込み部として構成されることとしたが、本実施の形態では、スピーカを子守帯Ｋの裏面に取り付ける。具体的には、スピーカ取付部３は、スピーカを保持するホルダ部材を、肩ベルト２ａの裏面（裏生地２０）に着脱可能に取り付けるためのホルダ取付部として構成されている。
【００６１】
より具体的には、第３実施の形態におけるスピーカ取付部３は、たとえば円柱状のスピーカ取付けホルダ（ホルダ部材）２４を取り付けるための面ファスナ６ｂにより構成されている。なお、第３実施の形態においてもスピーカ取付部３は、肩ベルト２ａのうちのキャリヤ本体部１から延びて着用者の肩に到達するまでの位置において、スピーカ１２Ａの出力面１２ａが着用者側へ向くように取り付け可能に構成されている。
【００６２】
スピーカ取付けホルダ２４は、円筒部（筒状部）２２と、円筒部２２の両端の開口をそれぞれ閉鎖する電磁シールドメッシュ８および電磁シールド生地９と、円筒部２２内に嵌め込まれた電磁シールドウレタン７とを含む。円筒部２２には線状のファスナー１８が形成されている。開閉つまみ１９によりファスナー１８を開いてスピーカ１２Ａをスピーカ取付けホルダ２４内に挿入する。
【００６３】
スピーカ取付けホルダ２４の電磁シールド生地９の外表面には、面ファスナ６ａが設けられている。この面ファスナ６ａは、フック面を有する係合部材であり、上記面ファスナ６ｂは、ループ面を有する被係合部材である。
【００６４】
スピーカ取付けホルダ２４の構造は、図５（Ｂ）に示すように、複数層の構造となっている。紙面最下位層に電磁シールドメッシュ８が設けられ、その上にファスナー１８が形成された円筒部２２が設けられ、その円筒部２２の上半分位置にまで電磁シールドウレタン７が挿入され、その電磁シールドウレタン７の上に電磁シールド生地９が設けられ、その上に面ファスナ６ａが設けられている。
【００６５】
スピーカ１２Ａの出力面１２ａが面ファスナ６ａとは反対側に向くように（つまり、電磁シールドメッシュ８に対面するように）、スピーカ１２Ａをスピーカ取付けホルダ２４内に挿入する。そして開閉つまみ１９を操作してファスナー１８を閉じてスピーカ１２Ａを収納する。面ファスナ６ａ側の側面には、スイッチマーク４が形成されている。スピーカ１２Ａの収納状態で、スイッチマーク４がスイッチ１３に対応する位置となるように構成されている。
【００６６】
肩ベルト２ａの裏生地２０には、スピーカ取付部３としての面ファスナ６ｂが設けられている。前述の面ファスナ６ａは、多数のフック状の突起が形成されているが、この面ファスナ６ｂは多数のループが形成されている。面ファスナ６ｂに面ファスナ６ａを押し付けることにより、多数のフックが多数のループに係合して肩ベルト２ａの裏面側にスピーカ取付けホルダ２４を装着することができる。肩ベルト２ａからスピーカ取付けホルダ２４を取り外した状態では面ファスナ６ｂが露出した状態となり、乳幼児の手等の体の一部がその面ファスナ６ｂに接触する場合が想定される。しかし、面ファスナ６ｂは、面ファスナのうちループ形状となっている側である。このため、スピーカ取付けホルダ２４を取り付けていない状態で接触しても痛くなく、乳幼児の皮膚を傷めることがない。
【００６７】
なお、肩ベルト２ａには、面ファスナ６ｂの平面状態を維持するための平面部材が設けられているものであってもよい。例えば、肩ベルト２ａの表生地２１と裏生地２０との間であって面ファスナ６ｂに対応する位置に、金属製の薄い平面部材を収納してもよい。これにより、面ファスナ６ｂの平面状態を維持することができるため、意図せずしてスピーカ取付けホルダ２４が外れてしまうことなどを防止できる。
【００６８】
（第４実施の形態）
次に第４実施の形態を図６に基づいて説明する。第３実施の形態では、スピーカ取付けホルダ２４を肩ベルト２ａの裏面に取り付けるために、係合部材としての面ファスナ６ａと被係合部材としての面ファスナ６ｂとを設けることとしたが、本実施の形態では、係合部材としてクリップ２３を設け、被係合部材としてクリップ取付部４０を設けている。
【００６９】
図６（Ａ）を参照し、この第４実施の形態におけるスピーカ取付部３は、クリップ２３が挿入しやすく取れ難くなるように形成されたクリップ取付部４０により構成されている。なお、第４実施の形態においてもスピーカ取付部３は、肩ベルト２ａのうちのキャリヤ本体部１から延びて着用者の肩に到達するまでの位置において、スピーカ１２Ａの出力面１２ａが着用者側へ向くように取り付け可能に構成されている。図６（Ｂ）は、クリップ２３の斜視図を示している。
【００７０】
第４実施の形態におけるスピーカ取付けホルダ２４は、図５（Ｂ）に示した構造とほぼ同じ構造を有しており、面ファスナ６ａの代わりにクリップ２３が設けられている点において異なる。クリップ２３は、樹脂あるいは金属などの可撓性を有する薄板部材が、一方方向においてＲ状に折り返されて形成されている。クリップ２３は、電磁シールド生地９に固着される基部と、基部に対面する折り返し部とが接触または近接する部分を有しており、この部分が挟み込み部２３ａを構成している。
【００７１】
スピーカ１２Ａをスピーカ取付けホルダ２４内に挿入保持した状態で子守帯Ｋの肩ベルト２ａに形成されているクリップ取付部４０をクリップ２３で挟み込むことにより、スピーカ取付けホルダ２４を肩ベルト２ａに取付けることができる。肩ベルト２ａに形成されているクリップ取付部４０は、図６（Ｃ）に示されるように、肩ベルト２ａにおける乳幼児とは反対側の側端部４１からクリップ２３を挿入した際に、肩ベルト２ａを挟み込みやすく取れ難い構造となるように形成されている。これにより、乳幼児がスピーカ取付けホルダ２４を取り外し難くすることができる。
【００７２】
挟み込みやすく取れ難い構造とは、例えば、肩ベルト２ａの側端部４１側の厚みを薄くし、肩ベルト２ａの中央部に向かうに従って徐々に厚みを増していき、表生地２１の所定の位置（例えば中央部）にクリップ２３の挟み込み部２３ａが入り込むような窪み４２が設けられているような構造であってもよい。これにより、クリップ２３により肩ベルト２ａを挟み込みやすく、ある程度挟み込ませた位置で窪み４２に入り込むことにより取れ難くすることができる。なお、肩ベルト２ａの中央付近において厚みが最も厚くなる部分には、その厚みを維持するために、肩ベルト２ａ内部に例えば円柱部材を配置させてもよい。これにより、窪み４２を確実に保持できるため、意図せずしてスピーカ取付けホルダ２４が外れてしまうことなどを防止できる。
【００７３】
一方、肩ベルト２ａにおける乳幼児側の側端部は、クリップ２３により挟み込み難い構造となるように形成されている。挟み込み難い構造とは、例えば、クリップ２３を挟み込ますことができない程度に厚みを持たせた構造であってもよい。これにより、乳幼児側の側端部からクリップ２３を挿入してしまうことを防止できる。
【００７４】
次に、以上説明した実施形態の変形例や特徴点を以下に列挙する。
（１）  前述の実施形態では、スピーカとスマートフォン１６とがBluetoothで通信しているが、通信形態はこれに限らず、例えばＬＴＥ（Long Term Evolution）を用いてもよく、さらには有線で通信してもよい。
【００７５】
（２）  スピーカの取付け方法として、図５の面ファスナ６ａ，６ｂや図６のクリップ２３に替えて紐を用いて肩ベルト２ａに括り付けてもよい。この場合、スピーカ取付部は、例えば、紐を通す穴が形成されているものであってもよい。
【００７６】
（３）  前述の実施形態では、スピーカ取付部を肩ベルト２ａに設けた例について説明した。特に、第１実施の形態では、肩ベルト２ａの表側および裏側のいずれにも開口が形成されることになる。このため、スピーカ取付部には、肩ベルト２ａの強度を補強するための補強部材が設けられているものであってもよい。例えば、図１（Ｂ）を参照し、フラップ５の周囲および肩ベルト生地に線状のファスナーを設け、当該ファスナーを閉じることによりフラップ５自体を補強部材として用いるようにしてもよく、補強するために別個の部材を用いてもよい。また、裏生地２０の全体がメッシュ材で構成されている場合には、裏生地２０に貫通孔２７を設けなくてもよい。
【００７７】
（４）  前述の実施形態では、子守帯として、着用者の胸側で保持するものを例示したが、これに限らず、着用者の背中側で保持するものであってもよい。また、子守帯として、乳幼児の頭を上にし、乳幼児の足を下にして縦抱き状態で保持するものを例示したが、これに限らず、乳幼児を略水平にして横抱き状態で保持するものであってもよい。
【００７８】
（５）  前述の実施形態によれば、インターネットを介して泣き止み音源（泣き止みアプリ）をスマートフォン１６にダウンロードするために多種多様な音源を手軽に入手できる利便性をユーザに提供しつつも、電磁波の発生源であるスマートフォン１６からではなく電磁波をシールドしたスピーカから泣き止み効果音（泣き止み音楽）をながして乳幼児に聞かせることができ、電磁波による乳幼児への悪影響を低減できる利点がある。しかも、インターネットを介しての泣き止み音源（泣き止みアプリ）のスマートフォン１６へのダウンロードに際して、ユーザのアカウント登録を条件としてユーザとベビー用品店等の業者との間でパイプを築き、ＣＲＭを構築できるという利点もある。ユーザ（母親等）に業者から育児に有益な情報を提供し続けることができ、ユーザの育児負担や精神的不安の軽減となる仕組みを構築できると共に、業者も顧客情報を蓄積し、マーケティング活動に活用できる情報源となる利点がある。
【００７９】
（６）  前述の実施形態によれば、スマートフォン１６等のモバイル端末自体を肩ベルト２ａに装着するのではなくスピーカを装着する。このため、肩ベルト２ａに装着したスピーカが万一脱落して損傷したとしても、モバイル端末自体の損傷に比べればユーザの損失を低減できる利点がある。しかも、泣き止み効果音（泣き止み音楽）を乳幼児に聞かせることに特化した乳幼児用のスピーカであるため、一旦肩ベルト２ａに装着すれば取り外すことなく取付けたままにすることができ、いちいち着脱する手間を省くことができる。
【００８０】
また、音出力装置が薄型のスピーカであることとしたが、音を出力する出力面１２ａを有する装置であれば、他種の装置であってもよい。また、上記各実施形態で示したスピーカ取付部３を有する子守帯Ｋとこのような音出力装置とをパッケージ化し、子守帯ユニットとして提供してもよい。
【００８１】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００８２】
Ｋ  子守帯、２ａ、２ｂ  肩ベルト、３  スピーカ取付部、６，６ａ，６ｂ  面ファスナ、８  電磁シールドメッシュ、９  電磁シールド生地、１２  スピーカ、１６  スマートフォン、１８  ファスナー、２４  スピーカ取付けホルダ。
【図１】
2019072376.tif 000003
【図２】
2019072376.tif 000004
【図３】
2019072376.tif 000005
【図４】
2019072376.tif 000006
【図５】
2019072376.tif 000007
【図６】
2019072376.tif 000008